(57)【要約】【課題】絵文字等の特殊文字が変換されて送信される場合においても、ユーザが伝えたい意図を十分に反映したデータを送信することができる通信装置、表示方法及び表示制御プログラムを提供すること【解決手段】本発明にかかる通信装置は、通信先に応じて表示態様が異なる特殊記号を含むデータのデータ通信を行う通信装置１０でる。通信装置１０は、ユーザから入力されたデータを表示する表示部２０と、ユーザにより特殊記号が入力された場合に、入力された特殊記号の通信装置１０における表示態様に加えて通信先に応じて異なる他の表示態様を、表示部２０に表示させる表示制御部３０と、を備えるものである。【選択図】図１
2012080203.tif 000002
【特許請求の範囲】
【請求項１】
通信先に応じて表示態様が異なる特殊記号を含むデータのデータ通信を行う通信装置であって、
ユーザから入力されたデータを表示する表示部と、
前記ユーザにより前記特殊記号が入力された場合に、当該特殊記号の当該通信装置における表示態様に加えて通信先に応じて異なる他の表示態様を、前記表示部に表示させる表示制御部と、を備える通信装置。
【請求項２】
前記表示制御部は、
前記通信装置における前記特殊記号の表示態様と前記通信先に応じて異なる他の表示態様とを同時に表示させるように画面データを生成する、請求項１に記載の通信装置。
【請求項３】
前記表示制御部は、
前記通信先が複数ある場合に、前記特殊記号の前記通信装置における表示態様に加えて通信先に応じて異なる複数の他の表示態様を、前記表示部に表示させる、請求項１又は２に記載の通信装置。
【請求項４】
前記表示制御部は、
前記ユーザが前記特殊記号を入力するために前記特殊記号を選択した場合、前記通信先に応じて異なる他の表示態様を、前記表示部に表示させる、請求項１乃至３のいずれか１項に記載の通信装置。
【請求項５】
前記表示制御部は、
前記ユーザから前記特殊記号を含むデータが入力された場合に、前記特殊記号を前記通信先に応じて異なる他の表示態様に変換して、前記データを前記表示部へ表示させる、請求項１乃至４のいずれか１項に記載の通信装置。
【請求項６】
前記表示制御部は、
前記ユーザから普通文字が入力された場合に、前記通信先に応じて表示態様が異なる特殊記号を、前記普通文字に対応する変換候補として表示させる、請求項１乃至５のいずれか１項に記載の通信装置。
【請求項７】
前記表示制御部は、
前記ユーザにより前記特殊記号が入力された場合に、当該通信装置における表示態様を表示する表示領域とは異なる表示領域に前記通信先に応じて異なる他の表示態様を表示する、請求項１乃至６のいずれか１項に記載の通信装置。
【請求項８】
前記ユーザから入力される前記通信先の送信先アドレスを用いて通信先を判定する判定部と、
前記判定された通信先において表示される前記特殊記号の表示態様を表示させる、請求項１乃至７のいずれか１項に記載の通信装置。
【請求項９】
ユーザから特殊記号を含むデータの入力を受け付けるステップと、
前記ユーザから入力されたデータに含まれる特殊記号の表示態様に加えて通信先に応じて異なる他の表示態様を表示するステップと、を備える表示方法。
【請求項１０】
通信先に応じて表示態様が異なる特殊記号を含むデータのデータ通信を行う通信装置のコンピュータに実行させる表示制御プログラムであって、
ユーザから入力された特殊記号を取得するステップと、
前記表示制御プログラムがインストールされた通信装置における前記特殊記号の表示態様に加えて通信先に応じて異なる他の表示態様を表示するステップと、をコンピュータに実行させる表示制御プログラム。
【発明の詳細な説明】
【技術分野】
【０００１】
本発明は通信装置、表示方法及び表示制御プログラムに関し、特に特殊文字を含むデータ通信を行う通信装置、その通信装置における表示方法及びその通信装置において用いられる表示制御プログラムに関する。
【背景技術】
【０００２】
近年、携帯電話端末を用いてメールを送受信する場合、文字のみではなく、いわゆる絵文字を含むメールを送受信するユーザが増加している。絵文字とは、平仮名、片仮名又はアルファベット等を用いて伝える文字の意味を、図形、記号又はこれらの組み合わせ等を用いて簡略化して表現された表示態様である。絵文字は、通信事業者によって独自に定義されている。そのため、自らが保有する携帯電話端末とは異なる通信事業者と契約されている携帯電話端末に対して絵文字を含むメールを送信する場合、絵文字は、メールサーバ等において変換される。通信先の携帯電話端末には、絵文字が変換された後のメールが送信される。
【０００３】
特許文献１には、絵文字を含む文章を携帯電話のメール機能を用いて送信する場合、送信先メールアドレスに基づいて、送信先の携帯電話が契約する通信事業者を識別し、送信先の携帯電話において表示可能な絵文字に変換する内容が開示されている。
【０００４】
特許文献２には、文章中に送信先の携帯電話端末において利用することができない絵文字が含められている場合には、その絵文字を削除した文章を、メール機能を用いて送信する内容が開示されている。
【０００５】
特許文献３には、絵文字を入力する画面において表示されている絵文字の一覧において、他の通信事業者の携帯電話端末において使用することができない絵文字は、マスクして表示される内容が開示されている。
【先行技術文献】
【特許文献】
【０００６】
【特許文献１】特開２００４−０９６４５４号公報
【特許文献２】特開２００８−１１７０２８号公報
【特許文献３】特開２００８−２１９０７４号公報
【発明の概要】
【発明が解決しようとする課題】
【０００７】
しかし、特許文献１及び２に開示されている携帯電話端末を用いて、他の通信事業者と契約している携帯電話端末にメールを送信する場合、ユーザによって入力された絵文字が、メールサーバ等において変換もしくは削除されて、通信先の携帯電話に送信される。このように、送信元のユーザが意図しない絵文字が送信され、もしくは絵文字部分が欠落して送信されることにより、ユーザがメールにて伝えたい意図を十分に反映してメールを送信することができないという問題がある。また、特許文献３を用いた場合、他の通信キャリアにおいて使用することができない絵文字の使用が禁止されることとなるが、使用することができる絵文字も、メールサーバによって他の通信キャリアにおいて用いられる表示態様に変換されてしまう。この場合にも、ユーザがメールにて伝えたい意図を十分に反映してメールを送信することができないという問題がある。
【０００８】
本発明はこのような問題を解決するためになされたものであり、絵文字等の特殊文字が変換されて送信される場合においても、ユーザが伝えたい意図を十分に反映したデータを送信することができる通信装置、表示方法及び表示制御プログラムを提供することを目的とする。
【課題を解決するための手段】
【０００９】
本発明の第１の態様にかかる通信装置は、通信先に応じて表示態様が異なる特殊記号を含むデータのデータ通信を行う通信装置であって、ユーザから入力されたデータを表示する表示部と、前記ユーザにより前記特殊記号が入力された場合に、当該特殊記号の当該通信装置における表示態様に加えて通信先に応じて異なる他の表示態様を、前記表示部に表示させる表示制御部と、を備えるものである。
【００１０】
本発明の第２の態様にかかる表示方法は、ユーザから特殊記号を含むデータの入力を受け付けるステップと、前記受け付けられたデータに含まれる特殊記号の表示態様に加えて通信先に応じて異なる他の表示態様を表示するステップと、を備えるものである。
【００１１】
本発明の第３の態様にかかる表示制御プログラムは、通信先に応じて表示態様が異なる特殊記号を含むデータのデータ通信を行う通信装置のコンピュータに実行させる表示制御プログラムであって、ユーザから入力された特殊記号を取得するステップと、前記表示制御プログラムがインストールされた通信装置における前記特殊記号の表示態様に加えて通信先に応じて異なる他の表示態様を表示するステップと、をコンピュータに実行させるものである。
【発明の効果】
【００１２】
本発明により、絵文字等の特殊文字が変換されて送信される場合においても、ユーザが伝えたい意図を十分に反映したデータを送信することができる通信装置、表示方法及び表示制御プログラムを提供することができる。
【図面の簡単な説明】
【００１３】
【図１】実施の形態１にかかる通信装置の構成図である。
【図２】実施の形態１にかかる携帯電話端末の構成図である。
【図３】実施の形態１にかかる絵文字対応表である。
【図４】実施の形態１にかかる絵文字入力画面である。
【図５】実施の形態１にかかる絵文字入力画面に絵文字を表示する際のフローチャートである。
【図６】実施の形態１にかかる送信確認画面である。
【図７】実施の形態１にかかる送信確認画面を表示する際のフローチャートである。
【図８】実施の形態１にかかる本文入力画面である。
【図９】実施の形態１にかかる予測変換候補を表示する際のフローチャートである。
【発明を実施するための形態】
【００１４】
（実施の形態１）
以下、図面を参照して本発明の実施の形態について説明する。図１を用いて本発明の実施の形態１にかかる通信装置の構成図について説明する。通信装置１０は、表示部２０と表示制御部３０とを備えている。
【００１５】
通信装置１０は、通信先に応じて表示態様が異なる特殊記号を含むデータのデータ通信を行う装置である。通信装置１０は、例えば携帯電話端末、ＰＤＡ（Personal Digital Assistant）、スマートフォン又はパーソナルコンピュータ等であって、データ通信機能を備えた装置である。通信先とは、通信装置１０から送信されたデータを受信する他の通信装置であってもよく、通信装置１０が契約する通信事業者のサーバ装置等であってもよい。特殊記号とは、装飾処理が施された記号又は文字、図形又は図形及び記号等の組み合わせ、もしくは、絵文字等を含む。絵文字とは、平仮名、片仮名又はアルファベット等を用いて伝える文字の意味を、図形、記号又はこれらの組み合わせ等を用いて簡略化して表現された表示態様である。データ通信は、無線通信又は有線通信等である。無線通信には、基地局においてカバーされたエリアにおいて通信を実行する移動通信や、ワイヤレスＬＡＮ通信等が含まれる。有線通信には、インターネット回線や電話回線等を用いた通信が含まれる。
【００１６】
表示部２０は、ユーザから入力されたデータを表示する。例えば、表示部２０は、ＬＣＤ（液晶ディスプレイ）等を用いて構成される。また、表示部２０は、携帯電話端末等のように携帯電話端末の中に一体として組み込まれていてもよく、デスクトップ型パーソナルコンピュータのように、パーソナルコンピュータ本体とケーブル等により接続されるディスプレイ等であってもよい。ユーザは、ボタン操作、キーボード操作又はタッチパネル操作等により、データを入力する。
【００１７】
表示制御部３０は、ユーザにより特殊記号が入力された場合に、入力された特殊記号の通信装置１０における表示態様に加えて通信先に応じて異なる他の表示態様を、表示部２０に表示させる。他の表示態様は、通信先において表示される特殊記号の表示態様や、特殊記号が変換された一般的な文字（普通文字）等の表示態様を含む。
【００１８】
以上説明したように、図１における通信装置１０を用いることにより、通信先１０において表示される特殊記号が、通信先においてどのような表示態様により表示されるかを、データ通信前に確認することができる。そのため、データ通信を行うユーザは、特殊記号を用いて伝えたい意図を十分に反映して、データを送信することができる。
【００１９】
続いて、図２を用いて本発明の実施の形態１にかかる携帯電話端末の構成例について説明する。以下の説明においては、ユーザから入力される特殊記号の例として、絵文字を用いて説明する。携帯電話端末は、アンテナ１１と、無線部１２と、制御部１３と、メモリ１４と、キー操作部１５と、表示部２０とを備えている。制御部１３は、表示制御部３０と判定部３１とを有している。
【００２０】
アンテナ１１は、無線通信により、基地局（図示せず）と通信メッセージもしくは通信データの送受信を行う。無線部１２は、アンテナ１１から受け取った通信データ等の無線制御を行う。無線制御とは、データの変調、復調、アナログ信号処理又はデジタル信号処理等を含む。
【００２１】
制御部１３は、携帯電話端末の動作を制御する。制御部１３は、ＣＰＵ又はＭＰＵ等により構成され、メモリ１４に格納されている制御プログラムを実行することにより、携帯電話端末の動作を制御する。また、制御部１３は、表示制御部３０と判定部３１とを有している。表示制御部３０は、表示部２０に表示される画面データの生成等を行う。判定部３１は、メール等の送信先アドレスを用いて、送信先の携帯電話端末が契約している通信事業者（キャリア）を判定する。
【００２２】
メモリ１４には、携帯電話端末において表示することができる絵文字情報及び他の携帯電話端末において表示することができる絵文字情報等が格納されている。つまり、メモリ１４には、携帯電話端末が契約しているキャリアにおいて用いることができる絵文字情報及び他のキャリアにおいて用いることができる絵文字情報等が格納されている。メモリ１４は、ＲＯＭもしくはＲＡＭ等により構成されている。もしくは、メモリ１４は、携帯電話端末に付属する外部記憶媒体であってもよい。
【００２３】
ここで、図３を用いて、メモリ１４において格納されている絵文字対応表４１の例について説明する。絵文字対応表４１は、携帯電話端末において表示することができる絵文字と、携帯電話端末が契約しているキャリア（以下、自キャリアと称する）と異なるキャリア（以下、他キャリアと称する）において表示することができる絵文字とを対応付けて管理している。絵文字対応表４１には、「絵文字」の欄に、自キャリアの携帯電話において表示することができる絵文字が設定されている。「読み候補」の欄には、「絵文字」の欄に表示されている絵文字の読み方が設定されている。「読み候補」の欄に設定される読み方は、１つでもよく、複数設定されてもよい。Ａ社、Ｂ社及びＣ社は、他キャリアの名称を示し、「＠ａａａ．ｃｏ．ｊｐ」、「＠ｂｂｂ．ｃｏ．ｊｐ」及び「＠ｃｃｃ．ｃｏ．ｊｐ」は、キャリア識別用のドメインを示している。つまり、ユーザから入力される送信先のアドレス情報に含まれるキャリア識別用ドメインを用いて、通信先の携帯電話端末が契約するキャリアを識別することができる。Ａ社、Ｂ社及びＣ社の欄に、それぞれのキャリアと契約する携帯電話端末において表示することができる絵文字が設定されている。
【００２４】
また、例えばＮｏ１の行におけるＢ社の欄には、絵文字ではなく「たいよう」との文字が設定される。これは、Ｂ社においては、Ｎｏ１に設定されている自キャリアの絵文字に対応する絵文字が存在しないことを示している。そのため、携帯電話端末が、Ｎｏ１に設定されている絵文字を入力して、Ｂ社の携帯電話端末へ送信した場合、Ｂ社の携帯電話端末においては、「たいよう」と文字に変換されて表示されることを示している。Ｎｏ２の行におけるＡ社の欄に設定されている「つき」や、Ｎｏ５の行におけるＡ社及びＣ社の欄に設定されている「ひよこ」についても同様である。
【００２５】
上述した説明においては、メモリ１４に絵文字情報等が格納されている例を示しているが、絵文字情報等は、通信事業者が有するサーバ装置等に格納されていてもよい。この場合、携帯電話端末が、サーバ装置等から絵文字情報を受け取ることにより、ユーザは、絵文字の入力が可能となる。
【００２６】
図２に戻り、キー操作部１５は、複数のボタン又は表示部をタッチ操作するタッチパネル等により構成される。
【００２７】
続いて、図４を用いて本発明の実施の形態１にかかる絵文字入力画面５１の構成例について説明する。絵文字入力画面５１は、メッセージ入力時に、絵文字を入力する際に用いられる。絵文字入力画面５１は、文字入力部５２と、絵文字表示部５３と、他キャリア絵文字表示部５４とにより構成されている。文字入力部５２は、絵文字表示部５３又は他キャリア絵文字表示部５４において選択された絵文字や、ユーザのボタン操作等により入力された文字等を表示する領域である。
【００２８】
絵文字表示部５３は、自キャリアと契約している携帯電話端末において表示可能な絵文字を表示する領域である。また、他キャリア絵文字表示部５４は、他キャリアと契約している携帯電話端末において表示可能な絵文字を表示する領域である。他キャリア絵文字表示部５４には、送信先のアドレス情報から識別されたキャリアにおいて表示される絵文字の表示態様が表示される。ここで、送信先のアドレス情報が入力されていない場合、他キャリア絵文字表示部５４には、他キャリアの絵文字が複数表示される。つまり、自キャリア以外に、他キャリアが例えば３社（Ａ社〜Ｃ社）存在している場合、他キャリア絵文字表示部５４には、Ａ社乃至Ｃ社と契約している携帯電話端末において表示される絵文字が表示される。もしくは、表示するキャリアを選択して、選択されたキャリアの携帯電話端末において表示される絵文字を表示してもよい。また、送信先のアドレス情報に、複数の他キャリアのアドレスが含まれる場合においても、他キャリア絵文字表示部５４には、他キャリアの絵文字が複数表示される。
【００２９】
また、絵文字表示部５３と他キャリア絵文字表示部５４とは、図４に示すように同時に表示されてもよく、絵文字表示部５３を表示する画面と、他キャリア絵文字表示部５４を表示する画面とを、別々に表示するようにしてもよい。この場合、絵文字表示部５３を表示する画面と、他キャリア絵文字表示部５４を表示する画面とは、ユーザ操作により切り替えるようにしてもよい。
【００３０】
続いて、図５を用いて本発明の実施の形態１にかかる絵文字入力画面に絵文字を表示する処理の流れについて説明する。はじめに、ユーザによるメールアプリケーションの起動等により、メール本文を入力する画面が呼び出される（Ｓ１１）。
【００３１】
次に、判定部３１は、メール本文を入力する画面における送信先の件数を確認する（Ｓ１２）。送信先が１件以上である場合、判定部３１は、送信先のアドレスのドメイン情報を用いて、送信先の携帯電話端末が契約しているキャリアを判定する（Ｓ１３）。判定部３１は、メモリ１４に格納されている絵文字対応表４１を用いて、送信先の携帯電話端末が契約しているキャリアを判定することができる。
【００３２】
次に、表示制御部３０は、メモリ１４に格納されている絵文字対応表４１から、自キャリアの携帯電話端末において表示することができる絵文字を読み出す（Ｓ１４）。表示制御部３０は、読み出した絵文字を、絵文字対応表４１の絵文字表示部５３に表示させる（Ｓ１５）。
【００３３】
次に、表示制御部３０は、絵文字表示部５３において、ユーザによってフォーカスされている位置を確認する（Ｓ１６）。つまり、表示制御部３０は、ユーザによって選択されている絵文字を確認する。
【００３４】
次に、表示制御部３０は、絵文字対応表４１を用いて、ユーザによって選択された絵文字に対応し、かつ、ステップＳ１３において判定された他キャリアにおいて表示することができる絵文字をメモリ１４から読み出す。また、表示制御部３０は、読み出した絵文字を他キャリア絵文字表示部５４に表示させる。ステップＳ１３において、送信先のキャリアが複数であると判定された場合、表示制御部３０は、他キャリア絵文字表示部５４に、複数のキャリアにおける絵文字を表示する。
【００３５】
次にステップＳ１２において、送信先が０件、つまり送信先アドレスが設定されていない場合について説明する。ステップＳ１２において、送信先が０件である場合、ステップＳ１８乃至２０の処理を実行する。ステップＳ１８乃至２０は、ステップＳ１３乃至１５の処理と同一であるため、詳細な説明を省略する。
【００３６】
ステップＳ２０においてユーザによって絵文字が選択されると、表示制御部３０は、絵文字対応表４１を用いて、選択された絵文字に対応する全てのキャリアの絵文字を検索する（Ｓ２１）。表示制御部３０は、検索した結果抽出された絵文字を絵文字表示部５３へ表示させる。ここで、表示制御部３０は、送信先アドレスが設定されていない場合に、絵文字を表示させるキャリアが予め指定されている場合、指定されているキャリアの絵文字を絵文字表示部５３に表示させてもよい。
【００３７】
続いて、図６を用いて本発明の実施の形態１にかかる送信確認画面６１の構成例について説明する。送信確認画面６１は、作成されたメールの本文が実際に送信される前に表示されるプレビュー画面である。送信確認画面６１は、宛先表示部６２と、本文表示部６３とにより構成されている。宛先表示部６２は、送信先のアドレスが設定される。宛先表示部６２に設定されるアドレスは、１つであってもよく、複数であってもよい。また、宛先表示部６２にアドレスが設定されていなくてもよい。この場合、宛先表示部６２には、送信先のアドレスは表示されない。本文表示部６３は、ユーザによって入力されたメッセージが表示される。本図は、メッセージに絵文字が含まれる場合について示している。本文表示部６３に表示される絵文字は、他キャリアと契約している携帯電話端末において表示される絵文字である。
【００３８】
続いて、図７を用いて本発明の実施の形態１にかかる送信確認画面６１を表示する処理の流れについて説明する。はじめに、表示制御部３０は、ユーザによりメール送信操作が実行された場合に、送信確認画面６１を表示させる（Ｓ３１）。
【００３９】
次に、文字入力部５２において複数の送信先アドレス情報が設定されている場合、判定部３１は、ユーザ操作によってフォーカスされた送信先アドレスを識別する（Ｓ３２）。判定部３１は、識別した送信先アドレスのドメイン情報を読み出し、送信先の携帯電話端末が契約しているキャリアを判定する（Ｓ３３）。
【００４０】
次に、表示制御部３０は、本文表示部６３において絵文字が用いられている場合、その絵文字を、判定したキャリアの携帯電話端末において表示される絵文字に置き換えて表示させる（Ｓ３４）。また、宛先表示部６２に送信先アドレスが設定されていない場合、表示制御部３０は、他キャリアの携帯電話端末へ送信する際の送信確認画面６１を順に表示させるようにしてもよい。例えば表示制御部３０は、キャリアＡ社と契約している携帯電話端末へ送信する場合の送信確認画面６１を表示させた後、ユーザ操作により送信確認画面６１を切り替えて、キャリアＢ社と契約している携帯電話端末へ送信する場合の送信確認画面６１を表示させるようにしてもよい。
【００４１】
続いて、図８を用いて本発明の実施の形態１にかかる本文入力画面７１の構成例について説明する。本文入力画面７１は、ユーザ操作により普通文字が入力される場合に用いられる画面である。普通文字とは、平仮名、片仮名又はアルファベット等であって、情報を伝える一般的な文字である。本文入力画面７１は、文字入力部７２と、予測変換候補表示部７３とにより構成されている。
【００４２】
文字入力部７２は、ユーザ操作により、普通文字が入力される。また、予測変換候補表示部７３には、文字入力部７２に入力された普通文字に対する変換候補が表示される。例えば、文字入力部７２に「はれ」と入力された場合に、予測変換候補表示部７３には、「はれ」を漢字に変換した「晴れ」や、晴れを意味する絵文字である太陽マークや、「はれ」に続く言葉を補った「ハレルヤ」等の言葉が表示される。
【００４３】
続いて、図９を用いて本発明の実施の形態１にかかる予測変換候補を表示する処理の流れについて説明する。はじめに、ユーザの操作により本文入力画面７１が呼び出された時、判定部３１は、送信先アドレスからドメイン情報を読み出し、送信先の携帯電話端末が契約するキャリアを判定する（Ｓ４１）。
【００４４】
次に、表示制御部３０は、ユーザによるキー操作部１５の操作により入力された普通文字の情報を受け取る（Ｓ４２）。次に、表示制御部３０は、受け取った普通文字と、絵文字対応表４１の読み候補とが一致するかを判定する。つまり、表示制御部３０は、受け取った普通文字の予測変換候補に、自キャリアにおける絵文字が存在するか否かを判定する（Ｓ４３）。
【００４５】
ステップＳ４３において、予測変換候補に、自キャリアにおける絵文字が存在すると判定された場合、その絵文字に対応する他キャリアの絵文字が存在するか否かを判定する（ステップＳ４４）。ここで、他キャリアとは、ステップＳ４１において判定されたキャリアである。ステップＳ４４において、自キャリアにおける絵文字に対応する他キャリアの絵文字が存在すると判定された場合、表示制御部３０は、予測変換候補表示部７３に、他キャリアの絵文字を表示させる（Ｓ４５）。
【００４６】
ステップＳ４３において、予測変換候補に、自キャリアにおける絵文字が存在しないと判定された場合、及び、ステップＳ４４において、自キャリアにおける絵文字に対応する他キャリアの絵文字が存在しないと判定された場合、処理を終了する。
【００４７】
以上説明したように、本発明の実施の形態１にかかる携帯電話端末は、自キャリアにおいて用いられる絵文字と、その絵文字が他キャリアと契約している携帯電話端末における絵文字とを表示することができる。これにより、携帯電話端末を操作するユーザは、他キャリアと契約している携帯電話端末において、自らが作成した絵文字を含むメッセージが、どのような表示態様にて通信先に送信されるかを事前に確認することができる。そのため、ユーザの意図を十分に反映したメッセージを送信することができる。
【００４８】
上述の実施の形態では、本発明をハードウェアの構成として説明したが、本発明は、これに限定されるものではない。本発明は、図５、図７及び図９において説明した処理を、ＣＰＵ（Central Processing Unit）にコンピュータプログラムを実行させることにより実現することも可能である。
【００４９】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５０】
なお、本発明は上記実施の形態に限られたものではなく、趣旨を逸脱しない範囲で適宜変更することが可能である。
【００５１】
（付記１）通信先に応じて表示態様が異なる特殊記号を含むデータのデータ通信を行う通信装置であって、ユーザから入力されたデータを表示する表示部と、前記ユーザにより前記特殊記号が入力された場合に、当該特殊記号の当該通信装置における表示態様に加えて通信先に応じて異なる他の表示態様を、前記表示部に表示させる表示制御部と、を備える通信装置。
【００５２】
（付記２）前記表示制御部は、前記通信装置における前記特殊記号の表示態様と前記通信先に応じて異なる他の表示態様とを同時に表示させるように画面データを生成する、付記１に記載の通信装置。
【００５３】
（付記３）前記表示制御部は、前記通信先が複数ある場合に、前記特殊記号の前記通信装置における表示態様に加えて通信先に応じて異なる複数の他の表示態様を、前記表示部に表示させる、付記１又は２に記載の通信装置。
【００５４】
（付記４）前記表示制御部は、前記ユーザが前記特殊記号を入力するために前記特殊記号を選択した場合、前記通信先に応じて異なる他の表示態様を、前記表示部に表示させる、付記１乃至３のいずれか１項に記載の通信装置。
【００５５】
（付記５）前記表示制御部は、前記ユーザから前記特殊記号を含むデータが入力された場合に、前記特殊記号を前記通信先に応じて異なる他の表示態様に変換して、前記データを前記表示部へ表示させる、付記１乃至４のいずれか１項に記載の通信装置。
【００５６】
（付記６）前記表示制御部は、前記ユーザから普通文字が入力された場合に、前記通信先に応じて表示態様が異なる特殊記号を、前記普通文字に対応する変換候補として表示させる、付記１乃至５のいずれか１項に記載の通信装置。
【００５７】
（付記７）前記表示制御部は、前記ユーザにより前記特殊記号が入力された場合に、当該通信装置における表示態様を表示する表示領域とは異なる表示領域に前記通信先に応じて異なる他の表示態様を表示する、付記１乃至６のいずれか１項に記載の通信装置。
【００５８】
（付記８）前記ユーザから入力される前記通信先の送信先アドレスを用いて通信先を判定する判定部と、前記判定された通信先において表示される前記特殊記号の表示態様を表示させる、付記１乃至７のいずれか１項に記載の通信装置。
【００５９】
（付記９）前記判定部は、前記送信先アドレスを用いて、前記他の通信装置が契約している通信事業者を判定し、前記表示制御部は、前記判定された通信事業者と契約する前記通信先の通信装置において表示される前記特殊記号の表示態様を表示させる、付記８記載の通信装置。
【００６０】
（付記１０）ユーザから特殊記号を含むデータの入力を受け付けるステップと、前記ユーザから入力されたデータに含まれる特殊記号の表示態様に加えて通信先に応じて異なる他の表示態様を表示するステップと、を備える表示方法。
【００６１】
（付記１１）通信先に応じて表示態様が異なる特殊記号を含むデータのデータ通信を行う通信装置のコンピュータに実行させる表示制御プログラムであって、ユーザから入力された特殊記号を取得するステップと、前記表示制御プログラムがインストールされた通信装置における前記特殊記号の表示態様に加えて通信先に応じて異なる他の表示態様を表示するステップと、をコンピュータに実行させる表示制御プログラム。
【符号の説明】
【００６２】
１０  通信装置
１１  アンテナ
１２  無線部
１３  制御部
１４  メモリ
１５  キー操作部
２０  表示部
３０  表示制御部
３１  判定部
４１  絵文字対応表
５１  絵文字入力画面
５２  文字入力部
５３  絵文字表示部
５４  他キャリア絵文字表示部
６１  送信確認画面
６２  宛先表示部
６３  本文表示部
７１  本文入力画面
７２  文字入力部
７３  予測変換候補表示部
【図１】
2012080203.tif 000003
【図２】
2012080203.tif 000004
【図３】
2012080203.tif 000005
【図４】
2012080203.tif 000006
【図５】
2012080203.tif 000007
【図６】
2012080203.tif 000008
【図７】
2012080203.tif 000009
【図８】
2012080203.tif 000010
【図９】
2012080203.tif 000011